(57)【要約】【課題】キャンバス地とこれを支えるキャンバス支持部材とから成る屋外日除け構造物のキャンバス地とキャンバス支持部材との間を簡単に着脱可能とする。【解決手段】キャンバス地２とこれを支えるキャンバス支持部材８とから成る屋外使用の屋外日除け構造物において、キャンバス支持部材８とキャンバス地２のいずれか一方に係合部材１４を、他方に係合部材１４を挟持する弾性クリップ１３を備え、係合部材１４を弾性クリップ１３で挟持することによりキャンバス地２をキャンバス支持部材８に固定する反面、キャンバス地２をキャンバス支持部材８から剥ぐ力が一定以上加わったときに弾性クリップ１３が反挟持方向に弾性変形することにより係合部材１４から離脱し、キャンバス地２とキャンバス支持部材８との係合解除を行うようにしている。【選択図】図３
2015037520.tif 000002
【特許請求の範囲】
【請求項１】
キャンバス地とこれを支えるキャンバス支持部材とから成る屋外使用の日除け構造物において、前記キャンバス支持部材と前記キャンバス地のいずれか一方に係合部材を、他方に前記係合部材を挟持する弾性クリップを備え、前記係合部材を前記弾性クリップで挟持することにより前記キャンバス地を前記キャンバス支持部材に固定する反面、前記キャンバス地を前記キャンバス支持部材から剥ぐ力が一定以上加わったときに前記弾性クリップが反挟持方向に弾性変形することにより前記係合部材から離脱し、前記キャンバス地と前記キャンバス支持部材との係合解除を行うものである屋外日除け構造物。
【請求項２】
前記屋外日除け構造物はパラソルであり、前記キャンバス支持部材の放射状に配置される親骨の先端と前記キャンバス地の外周縁側の縁とが、前記弾性クリップと前記係合部材との係合により連結されることによって固定されたことを特徴とする請求項１記載の屋外日除け構造物。
【請求項３】
前記係合部材は円柱状の被挟持面を有し、前記弾性クリップは前記係合部材の円柱状の被挟持面を挟持する半円形の弾性挟持部を有し、前記係合部材の被挟持面と交わる方向に前記弾性クリップの抜去方向が設定されるものである請求項１または２記載の屋外日除け構造物。
【請求項４】
前記弾性クリップは、前記キャンバス地の穴を貫通して前記キャンバス地の表側へ突出する立ち上がり折り返し部を有し、前記キャンバス地の表側で前記立ち上がり折り返し部に係合して前記立ち上がり折り返し部が前記キャンバス地の裏側へ離脱しないように保持する抜去防止用部材によって前記キャンバス地に固定されるものである請求項３記載の屋外日除け構造物。
【請求項５】
前記抜去防止用部材は前記弾性クリップの前記立ち上がり折り返し部に通されるリングであり、前記キャンバス地の穴より大径である請求項４に記載の屋外日除け構造物。
【請求項６】
前記弾性クリップは、前記キャンバス地の穴を貫通して前記キャンバス地の表側へ突出する立ち上がり折り返し部を有し、前記立ち上がり折り返し部の前記穴を通過して前記キャンバス地の表側に位置する部分の最大幅が前記穴の最大穴幅よりも幅広に構成され、前記立ち上がり折り返し部が前記キャンバス地に引っ掛かることで前記キャンバス地に固定されるものである請求項３記載の屋外日除け構造物。
【請求項７】
前記弾性クリップは、前記弾性挟持部の前記係合部材が抜け外れる側の端部で形成される開口部から反抜去方向に向けてＶ字形に開き前記弾性挟持部への前記係合部材の嵌合を容易にする導入部と、前記導入部と前記弾性挟持部との弾性変形を可能とする腕部とを有し、前記係合部材との間に一定以上の抜去力がかかったときに前記導入部と前記弾性挟持部並びに前記腕部の間隔を開けて前記係合部材から離脱するばね性を発揮するものである請求項３から６のいずれか１つに記載の屋外日除け構造物。
【請求項８】
前記係合部材は円筒状のカラーと該カラーよりも大径の座金とこれらを貫通して前記キャンバス支持部材にねじ込まれる押えボルトとで構成され、前記キャンバス支持部材と前記座金との間の前記カラー部分に前記弾性クリップが挿入されるものである請求項１から５のいずれか１つに記載の屋外日除け構造物。
【請求項９】
前記弾性クリップは前記導入部の最も幅方向外側でかつ最も反抜去方向に突出した部分に鋭角的な部分を有さない先端部を形成することを特徴とする請求項９記載の屋外日除け構造物。
【請求項１０】
前記弾性クリップは前記導入部を構成する部分よりも先に延長部が設けられ、その延長部がＶ字形に開く前記導入部の外側あるいは内側に折り返されるように曲げられることによって、前記導入部の最も外側に鋭角的な部分を持たない円弧状の折り返し部が形成されることを特徴とする請求項９記載の屋外日除け構造物。
【請求項１１】
前記弾性クリップは前記導入部の先端にキャップを被せることにより線材の切断面となる尖った端部を丸めるものである請求項９記載の屋外日除け構造物。
【発明の詳細な説明】
【技術分野】
【０００１】
本発明は、屋外で主に使用される日除け構造物に関する。さらに詳述すると、本発明は、大型パラソル型の日除け（オーニング）のようにキャンバス地とこれを支えるキャンバス支持部材とから成る屋外使用の日除け構造物に関する。
【背景技術】
【０００２】
従来より、キャンバス地とこれを支えるキャンバス支持部材とから成る屋外使用の日除け構造物、例えば屋外で使用されるパラソル型の日除け（オーニング）においては、キャンバス地の縁とこれを支えるキャンバス支持部材の先端とが縫い着けられて固定されたり、キャンバス地に筒状の袋を縫製により取り付けてそこに支持部材の先端を挿入して保持するようにして、あるいはパラソルのキャンバス地の縁に底付きの筒状のプラスチック製ソケットが縫製により取り付けられて該ソケットの孔にキャンバス支持部材の先端を嵌め込むことにより（特許文献１）、キャンバス地とキャンバス支持部材とが簡単には外れない構造となっている。
【先行技術文献】
【特許文献】
【０００３】
【特許文献１】特開平５−２１１９１４号公報
【発明の概要】
【発明が解決しようとする課題】
【０００４】
したがって、キャンバス地に破損等が生じた場合であっても簡単に交換することができない。また、設置現場での組み立て作業などの場合に組み付け作業に時間がかかるという問題を有している。
【０００５】
また、パラソルは風の影響を受け易く、特に大型で据え置き式のパラソルほど風の影響を受け易く、屋外での日よけとして使用するには突風や強風に対する十分な対策が必要となる。即ち、パラソルが強風に飛ばされ転倒するのを未然に防ぎ、あるいはパラソルが転倒の衝撃または強風でキャンバス地等が破損してしまうことを防ぐことが望まれる。しかるに、キャンバス地とキャンバス支持部材とが簡単には外れない構造となっているため、強風や突風に煽られたときキャンバス地が破れてしまう虞もあれば、場合によっては支柱毎飛ばされてしまうこともある。このことは、キャンバス地とこれを支えるキャンバス支持部材とから成る屋外使用の屋外日除け構造物、例えば日よけあるいは雨よけとして建物の開口部や庭先などの屋外で使用される壁付型、自立型のオーニングやスクリーンなどにおいても同様である。
【０００６】
そこで、本発明は、キャンバス地とキャンバス支持部材との間を一定の力が加わることで簡単に着脱することが可能なパラソル型日除けや、その他の屋外使用の日除け構造物を提供することを目的とする。
【課題を解決するための手段】
【０００７】
かかる目的を達成するために請求項１記載の発明は、キャンバス地とこれを支えるキャンバス支持部材とから成る屋外使用の日除け構造物において、キャンバス支持部材とキャンバス地のいずれか一方に係合部材を、他方に係合部材を挟持する弾性クリップを備え、係合部材を弾性クリップで挟持することによりキャンバス地をキャンバス支持部材に固定する反面、キャンバス地をキャンバス支持部材から剥ぐ力が一定以上加わったときに弾性クリップが反挟持方向に弾性変形することにより係合部材から離脱し、キャンバス地とキャンバス支持部材との係合解除を行うようにしている。
【０００８】
ここで、屋外日除け構造物はパラソルであり、キャンバス支持部材の放射状に配置される親骨の先端とキャンバス地の外周縁側の縁とが、弾性クリップと係合部材との係合により連結されることによって固定されていることが好ましい。
【０００９】
また、本発明にかかる屋外日除け構造物において、係合部材は円柱状の被挟持面を有し、弾性クリップは係合部材の円柱状の被挟持面を挟持する半円形の弾性挟持部を有し、係合部材の被挟持面と交わる方向に弾性クリップの抜去方向が設定されるものであることが好ましい。
【００１０】
また、本発明にかかる屋外日除け構造物の弾性クリップは、キャンバス地の穴を貫通してキャンバス地の表側へ突出する立ち上がり折り返し部を有し、キャンバス地の表側で立ち上がり折り返し部に係合して立ち上がり折り返し部がキャンバス地の裏側へ離脱しないように保持する抜去防止用部材によってキャンバス地に固定されることが好ましい。
【００１１】
ここで、抜去防止用部材は弾性クリップの立ち上がり折り返し部に通されるリングであり、キャンバス地の穴より大径であることが好ましい。
【００１２】
また、本発明にかかる屋外日除け構造物の弾性クリップは、キャンバス地の穴を貫通してキャンバス地の表側へ突出する立ち上がり折り返し部を有し、立ち上がり折り返し部の穴を通過してキャンバス地の表側に位置する部分の最大幅が穴の最大穴幅よりも幅広に構成され、立ち上がり折り返し部がキャンバス地に引っ掛かることでキャンバス地に固定されるものであることが好ましい。
【００１３】
さらに、本発明にかかる屋外日除け構造物の弾性クリップは、弾性挟持部の係合部材が抜け外れる側の端部で形成される開口部から反抜去方向に向けてＶ字形に開き弾性挟持部への係合部材の嵌合を容易にする導入部と、導入部と弾性挟持部との弾性変形を可能とする腕部とを有し、係合部材との間に一定以上の抜去力がかかったときに導入部と弾性挟持部並びに腕部の間隔を開けて係合部材から離脱するばね性を発揮するものであることが好ましい。
【００１４】
さらに、本発明にかかる屋外日除け構造物の係合部材は円筒状のカラーと該カラーよりも大径の座金とこれらを貫通してキャンバス支持部材にねじ込まれる押えボルトとで構成され、キャンバス支持部材と座金との間のカラー部分に弾性クリップが挿入されることが好ましい。
【００１５】
さらに、弾性クリップは導入部の最も幅方向外側でかつ最も反抜去方向に突出した部分に鋭角的な部分を有さない先端部を形成することが好ましい。
【００１６】
さらに、弾性クリップは導入部を構成する部分よりも先に延長部が設けられ、その延長部がＶ字形に開く導入部の外側あるいは内側に折り返されるように曲げられることによって、導入部の最も外側に鋭角的な部分を持たない円弧状の折り返し部が形成されることが好ましい。
【００１７】
さらに、弾性クリップは導入部の先端にキャップを被せることにより線材の切断面となる尖った端部を丸めることが好ましい。
【発明の効果】
【００１８】
請求項１記載の屋外日除け構造物によれば、キャンバス地あるいは弾性クリップを直接把持して弾性クリップの抜去方向に向けて引っ張ることで、係合部材に対して弾性クリップの導入部付近が拡げられながら弾性変形することで弾性クリップが外れるので、キャンバス地が簡単に取り外すことができる。そして、新たなキャンバス地の中央を支柱に取り付けてから周縁とキャンバス支持部材の先端との間で係合部材に弾性クリップを嵌め込むことで簡単に取り付けることができる。依って、キャンバス地に破損等が生じた場合であっても簡単に交換することができる。しかも、現場組み立て作業でも簡単に組み付けられるので、組み付け作業に時間がかからない。勿論、現地での設置工事においても簡易に組み立てが可能となる。
【００１９】
さらに、本発明の屋外用日除け構造物によれば、強風に煽られてキャンバス地が膨らむときにも、風圧が一定圧力よりも大きい場合には、弾性クリップと係合部材との係合が解除されてキャンバス支持部材からキャンバス地が外れることで、風が抜けたりあるいは風が受け流される。このため、風を受ける面積が少なくなることで吹き上げ荷重が減少し、飛ばされたり倒されたりし難くなると共に、キャンバス地等が破損してしまうことを防ぐことができる。しかも、風の影響をまともに受けることなく、いなすことができるので、屋外日除け構造物のキャンバス支持部材への負担を軽減してキャンバス支持部材の急激な曲がりや折損を免れることができる。
【００２０】
また、本発明の屋外日除け構造物をパラソルに適用した請求項２記載の発明によれば、パラソルを折りたたんだ状態の比較的低い位置でのキャンバス支持部材とキャンバス地との連結を可能とするので、キャンバス地の取り付け作業・交換作業が容易なものとなる。しかも、キャンバス支持部材とキャンバス地との連結が外周縁側から外れるため、強風が吹いて屋外日除け構造物が煽られても、中心が支柱に固定されたキャンバス地の周縁の一部あるいは全部がキャンバス支持部材から外れて風を受け流すことから、風を受ける面積が少なくなって吹き上げ荷重が減少し、飛ばされたり倒されたりし難くなる。
【００２１】
また、請求項３記載の屋外日除け構造物によれば、円柱状の被挟持面を有す係合部材と、半円形の弾性挟持部を有す弾性クリップとを係合させ、係合部材の被挟持面と交わる方向に弾性クリップの抜去方向が設定されるようにしているので、係合部材と弾性クリップとが半円状の弾性挟持部のほぼ全域で接触するため、広範囲に亘って抜け止め機能が発揮され、抜け止め強度の精度を出し易く、抜け止め強度の調整もし易い。つまり、連結解除の荷重の設定、調整が容易であり、再連結の作業も容易である。
【００２２】
また、請求項３記載の発明によれば、一定以上の力がかかったときに口を開けるばね性を有する弾性クリップと、該クリップが引っかかる円柱状の係合部材とでキャンバス地とキャンバス支持部材とを連結しているので、キャンバス地をキャンバス支持部材から外すのも容易であるが、再びキャンバス地の端をキャンバス支持部材に取り付ける際にも円柱状の係合部材に弾性クリップを押し込むようにして嵌め込むだけで簡単に連結させることができる。したがって、キャンバス地の取り付け作業・交換作業が容易であると共に強風を受けた際のキャンバス地とキャンバス支持部材との連結解除も容易である。
【００２３】
また、請求項４記載の屋外日除け構造物によれば、キャンバス地に対する弾性クリップの装着並びに解除がキャンバス地の表側に突出した弾性クリップの立ち上がり折り返し部への抜去防止用部材の脱着だけで完了するため、現地での設置工事においても容易に組み立てが可能となる。
【００２４】
また、本発明の屋外日除け構造物をパラソルに適用した請求項５記載の発明によれば、弾性クリップの立ち上がり折り返し部が通り抜けるキャンバス地の穴よりも大径のリングを抜去防止用部材として用いるため、抜去防止用部材の向きにかかわらず確実に弾性クリップの立ち上がり折り返し部がキャンバス地の穴を通り抜けることを防ぐことができる。
【００２５】
また、請求項６記載の屋外日除け構造物によれば、弾性クリップの立ち上がり折り返し部を抜去防止用部材として兼ねることができるので、部品点数を少なくすることができる。
【００２６】
また、請求項７記載の屋外日除け構造物によれば、係合部材との間に一定以上の抜去力がかかったときに導入部と弾性挟持部並びに腕部の間隔を開けて係合部材から離脱するばね性を発揮するようにしているので、連結部位間における抜け止め強度（抜去力）のばらつきが少なく、安定したものとなる。依って、強風に煽られる方向によって、弾性クリップと係合部材との係合が解除されたり、解除されなかったりするばらつきが少なくなる。
【００２７】
また、請求項８記載の屋外日除け構造物によれば、必要に応じてカラー及び／または座金の径の大きさを変更することで、弾性クリップとの間で設定される抜け止め強度（抜去力）の調整が簡単にできる。
【００２８】
さらに、請求項９記載の屋外日除け構造物によれば、導入部の最も幅方向外側でかつ最も反抜去方向に突出した部分に鋭角的な部分を有さない先端部を形成するようにしているので、導入部の最外部となる導入部の先端にキャンバス地が強く接触しても、導入部の先端で生地を傷めることが少ない。したがって、キャンバス地として裂け易い生地を用いても、キャンバス地が破れる虞が少なくなる。
【００２９】
さらに、請求項１０記載の屋外日除け構造物によれば、弾性クリップが線材の切断面となる尖った端部が導入部の先端の折り返し部の最大幅位置を通る抜去方向の線分よりも内側でかつ先端位置を通る抜去方向と直交する幅方向の線分よりも内側に隠れることとなるので、キャンバス地に延長部の尖った先端あるいは角張った縁が強く接触することがなく、生地を傷めることが少ない。しかも、導入部の先端の円弧状の折り返し部とその先の延長部とは、ばね材を曲げ加工することによって弾性クリップを成形する際に一度に形成されるので、部品コストもほとんど増えない。さらに、別部品を必要としないので、部品管理の手間も省けるし、組み立て作業も増えない。
【００３０】
さらに、請求項１１記載の屋外日除け構造物によれば、弾性クリップの導入部の両先端に予め各々キャップを被せあるいは係合部材に弾性クリップを係合させた後にキャップを被せることで、導入部の先端の線材の切断面となる尖った端部を丸めることができるので、キャンバス地に尖った先端あるいは角張った縁が強く接触して生地を傷めたり裂いたりすることが少なくなる。特に、樹脂キャップを導入部の両先端に跨がるように被せる場合、樹脂キャップが破断・切断しない限り弾性クリップの開口部が拡がらないため、樹脂キャップの強さを調整することで、クリップの係合部材に対する抜去力を調整することが可能となる。また、この樹脂キャップを弾性クリップの補強に用いることで、弾性クリップそのものの係合部材を挟持する力（弾性力）を弱いものとすることも可能にするし、場合によってはクリップ素材が強い弾性を示さない塑性材料即ちばね材を用いなくとも良い。
【図面の簡単な説明】
【００３１】
【図１】本発明にかかる屋外日除け構造物の一例として大型パラソルの例を挙げて示す一実施形態を示す平面図である。
【図２】図１のパラソルの正面図である。
【図３】本発明にかかる屋外日除け構造物のキャンバス地とこれを支えるキャンバス支持部材とを連結する弾性クリップと係合部材との連結構造を示す拡大正面図である。
【図４】図３の弾性クリップと係合部材との連結構造を示す平面図である。
【図５】連結状態にある弾性クリップと係合部材との一実施形態を示す平面図である。
【図６】弾性クリップの一例を示す図で、（Ａ）は平面図、（Ｂ）は正面図、（Ｃ）は側面図である。
【図７】弾性クリップの他の例を示す図で、（Ａ）は平面図、（Ｂ）は背面図、（Ｃ）は側面図である。
【図８】弾性クリップの第３の例を示す平面図である。
【図９】弾性クリップの第４の例を示す平面図である。
【図１０】弾性クリップの第５の例を示す平面図である。
【図１１】弾性クリップの第６の例を示す平面図である。
【発明を実施するための形態】
【００３２】
以下、本発明の構成を図面に示す実施形態に基づいて詳細に説明する。
【００３３】
本発明にかかる屋外使用の日除け構造物は、例えば図１及び図２に示すように、キャンバス地２とこれを支えるキャンバス支持部材８とから主に成り、図５に示すようにキャンバス支持部材８とキャンバス地２とが所定以上の力が加わると連結が解除される弾性クリップ１３と係合部材１４とを介して連結されることによってキャンバス地２がキャンバス支持部材８に固定され、強風が吹いたときにキャンバス地２がキャンバス支持部材８から外れることにより風を受け流すようにしている。ここで、係合部材１４はキャンバス支持部材８とキャンバス地２のいずれか一方に、弾性クリップ１３はいずれか他方にそれぞれを備えられ、係合部材１４を弾性クリップ１３で挟持することによりキャンバス地２をキャンバス支持部材８に固定する反面、キャンバス地２をキャンバス支持部材８から剥ぐ力が一定以上加わったときに弾性クリップ１３が反挟持方向に弾性変形することにより係合部材１４から離脱し、キャンバス地２とキャンバス支持部材８との係合解除を行うものである。
【００３４】
図１〜図５に本発明の屋外日除け構造物をパラソル型日除けに適用した実施形態の一例を示す。この実施形態のパラソル型日除け１は、中央に支柱を有するタイプに適用したものであり、例えば図１及び図２に示すように、キャンバス地（canopy）２と、これを支えるキャンバス支持部材８とで構成されている。キャンバス支持部材８は、支柱７の頂部から放射状に拡がるように配置された親骨（rib）３と、この親骨３の内側の端部を連結して集合させる親骨用ろくろ（ring）４と、親骨３の中程を突っ張ってキャンバス地２を広げるための受骨（spreder）５と、受骨５の内側の端部を連結して集合させ支柱７に沿って昇降可能にする受骨用ろくろ６とから構成され、受骨用ろくろ６を支柱７に沿って昇降させることによって受骨５を介して親骨３ひいてはキャンバス地２の開閉を行うように構成されている。そして、キャンバス支持部材８の放射状に配置される親骨３の先端とキャンバス地２の外周縁側の縁とが、弾性クリップ１３と係合部材１４との係合により連結されることによって固定されている。ここで、係合部材１４は少なくとも円柱状の被挟持面１４ｄを有し、弾性クリップ１３は少なくとも係合部材１４の円柱状の被挟持面１４ｄを挟持する半円形の弾性挟持部１３ａを有し、係合部材１４の被挟持面１４ｄと交わる方向に弾性クリップ１３の抜去方向が設定されるものである。
【００３５】
親骨用ろくろ４は、支柱７の頂部に固定されており、キャンバス地２の中央部分に開けられた穴（図示省略）を貫通するキャップ２２が支柱７の頂部開口（図示省略）に嵌合されて、キャンバス地２の中心部分を支柱７の頂部に固定すると共に、支柱７の頂部開口並びにキャンバス地２の中央の穴の周囲をキャップ２２で覆って雨水の浸入を防ぐ構造とされている。
【００３６】
キャンバス地２は、本実施形態の場合、親骨３と親骨３との間を占める三角形状のキャンバス地を８枚縫い合わせることによって（縫合糸の図示は省略）、八角形に形成されている。本実施形態の場合、キャンバス地２の縫い合わせ部分の外周縁側の端部にストラップ９が縫い付けられており、キャンバス地２の外周縁から僅かに突出するように設けられている。そして、キャンバス地２の縁のストラップ９を利用して、弾性クリップ１３の立ち上がり折り返し部１３ｆが挿入されて連結される穴１１が設けられている。この穴１１はキャンバス地２のほつれを防ぐと共に強度を確保するために鳩目１０によって補強されている。本実施形態の場合、ストラップ９には弾性クリップ１３の立ち上がり折り返し部１３ｆを通すための穴１１と、係合部材１４の押えボルト１４ａをねじ締めするための穴２３とが開けられ、それぞれ鳩目１０，２４によって補強されている。勿論、弾性クリップ１３の立ち上がり折り返し部１３ｆが挿入され弾性クリップ１３の固定に利用される穴１１は、キャンバス地２そのものに開けられるようにしても良い。
【００３７】
本実施形態の場合、弾性クリップ１３は、図６に示すように、ばね鋼を折り曲げることによって、Ｌ形に折り曲げられたキャンバス地２の穴１１を貫通する立ち上がり折り返し部１３ｆと、係合部材１４の円柱面（本実施例の場合カラー１４ｂの外周面）を挟持する半円形の弾性挟持部１３ａと、弾性挟持部１３ａの係合部材１４が抜け外れる側の端部間の隙間で形成される、係合部材１４の円柱面・カラー１４ｂの外周面の直径（抜去方向と直交する方向の幅）よりも狭い幅の開口部１３ｃと、この開口部１３ｃから前方（反抜去方向）に向けてＶ字形に開き弾性挟持部１３ａへの係合部材１４の嵌合を容易にする導入部１３ｂと、導入部１３ｂと弾性挟持部１３ａとの弾性変形を可能とする腕部１３ｅとを有し、係合部材１４との間に一定以上の抜去力がかかったときに導入部１３ｅと弾性挟持部１３ａ並びに腕部１３ｅの間隔を開けて開口部１３ｃを係合部材１４の被挟持面１４ｄの直径以上に開くことにより、係合部材１４から離脱するばね性を発揮するように設けられている。この場合、外側に開く導入部１３ｂは、係合部材１４への押し込みに際して、弾性クリップ１３の先端の導入部１３ｂに対して開口部１３ｃを開く方向に力を作用させるため、より小さな力で係合部材１４と弾性クリップ１３との嵌め合わせを行うことができる。しかも、導入部１３ｂ、弾性挟持部１３ａ及び腕部１３ｅに対し垂直に屈曲した立ち上がり折り返し部１３ｆを把持して弾性クリップ１３の係合部材１４への押し込み動作あるいは係合部材１４からの引き抜き動作を行うことができるので、脱着操作が容易にできる。勿論、弾性クリップ１３は、図６に示す形状に特に限定される理由はなく、係合部材１４の円柱状の被挟持面１４ｄを挟持する半円形の弾性挟持部１３ａを有し、キャンバス支持部材８とキャンバス地２のいずれか一方に連結され他方に連結された係合部材１４の被挟持面１４ｄと交わる方向に弾性クリップ１３の抜去方向が設定されるもの、即ち所定の引っ張り力が係合部材１４との間に作用したときに、弾性クリップ１３から係合部材１４が外れるように設定できるものであれば、どのような形状、形態をとっても本発明は実施可能である。例えば、本実施形態においては、鳩目１０の穴１１に立ち上がり折り返し部１３ｆを貫通させて抜去防止用部材１２のリングをキャンバス地２の表側で嵌めることにより弾性クリップ１３をキャンバス地２に固定するようにしているが、紐やチェーンなどの他の取り付け手段を採用して弾性クリップ１３をキャンバス地２あるいはキャンバス支持部材８側に取り付ける場合には、鳩目１０の穴１１を貫通するような立ち上がり折り返し部１３ｆは必要とされないこともある。即ち、Ｌ形に立ち上げられるように折り曲げられる立ち上がり折り返し部１３ｆは、場合によっては必要なく、腕部１３ｅ等と同じ平面で後端がＵ形に単に折り返されるクリップ構造で代用されることもある。
【００３８】
ここで、キャンバス地２として裂け易い生地を用いる場合、弾性クリップ１３の前方・反抜去方向に向けてＶ字形に開いた導入部１３ｂの先端１３ｇの尖った角に引っ掛かったり、強く押しつけられると、生地が破れる虞がある。そこで、Ｖ字形に開く導入部１３ｂの最も外側、即ちＶ字形に開いた導入部１３ｂの最も幅方向に拡がった部分であり、また導入部１３ｂの最も反抜去方向に突出した部分でもある先端部に、鋭角的な部分を有さない先端部を形成することが好ましい。つまり、弾性クリップの導入部１３ｂの先端の線材の切断面となる尖った端部を丸めることが好ましい。この場合、先端１３ｇを球面に加工して角をなくしたり、あるいは樹脂を塗布することで先端１３ｇの角をクッション材で覆うようにしても良いが、中でも弾性クリップ１３の最大幅でかつ反抜去方向に突出した先端部に、鋭角的な部分を有さない先端部を線材の輪郭形状そのもので形成することがより好ましい。例えば、ばね材を曲げ加工することによって図示のクリップ形状に成形する際に、図７あるいは図８に示すように、導入部１３ｂを構成する部分よりも先に延長部２６が設けられ、その延長部２６がＶ字形に開く導入部１３ｂの外側あるいは内側に折り返されるように曲げられることによって、導入部１３ｂの最も外側に鋭角的な部分を持たない円弧状の折り返し部２７が形成されるようにしても良い。このとき、外側あるいは内側に折り返すように曲げられた延長部２６の先端１３ｇは、折り返し部２７の最大幅位置を通る抜去方向の線分２７ｓよりも内側でかつ先端位置を通る抜去方向と直交する幅方向の線分２７eよりも内側に位置するように折り曲げられることが好ましく、この場合にはキャンバス地２に延長部２６の尖った先端１３ｇあるいは角張った縁が強く接触して生地を傷めることがない。
【００３９】
また、導入部１３ｂの先端１３ｇには、図９に示すように樹脂製の球状のキャップ２５を各々被せたり、あるいは図１０に示すように樹脂製の底付きのキャップ２５を平たく潰して導入部１３ｂの両先端１３ｇに跨がるように被せたり、さらには図１１に示すように樹脂製の底無しの円筒状のキャップ２５を平たく潰して被せたりして、導入部１３ｂの先端１３ｇの角があるいは尖端が丸められてキャンバス地２に直接接触しないように設けることも可能である。この場合においても、キャンバス地２に尖った先端１３ｇあるいは角張った縁が強く接触して生地を傷めたり裂いたりすることが少なくなる。また、図１０あるいは図１１に示すように、樹脂キャップ２５を導入部１３ｂの両先端１３ｇに跨がるように被せる場合には、係合部材１４からクリップ１３が抜去される際に拡がる弾性クリップ１３の開口部１３cによって樹脂キャップ２５に設計上設定された値以上の力が作用したときに樹脂キャップ２５が破断・切断することによって始めて導入部１３ｂの拡がりを許容する。尚、キャップ２５は熱可塑性樹脂製であることが好ましいが、この材質に特に限定されるものではなく、他の樹脂製であっても、金属や木材、コルク材などであっても良い。
【００４０】
さらに、図１０あるいは図１１に示すように、樹脂キャップ２５を導入部１３ｂの両先端１３ｇに跨がるように被せる場合、樹脂キャップ２５が破断・切断しない限り弾性クリップ１３の開口部１３cが拡がらないため、樹脂キャップ２５の強さを調整することで、クリップ１３の係合部材１４に対する抜去力を調整することが可能となる。また、この樹脂キャップ２５を弾性クリップ１３の補強に用いることで、弾性クリップ１３そのものの係合部材１４を挟持する力（弾性力）を弱いものとすることも可能にするし、場合によってはクリップ素材が強い弾性を示さない塑性材料即ちばね材を用いなくとも良い。したがって、樹脂キャップ２５はゴム弾性を示すものであれば、あるいは一定の力が作用したときに破断・切断して導入部１３ｂの両先端１３ｇが拡がるのを許容するものであれば良い。
【００４１】
本実施形態の弾性クリップ１３は、キャンバス地２の穴１１を貫通してキャンバス地２の表側へ突出する立ち上がり折り返し部１３ｆをキャンバス地２の裏面側から表面側へ突出するように鳩目１０で区画された穴１１を通過させ、キャンバス地２の表側に抜けたところをキャンバス地２の穴１１より大径である抜去防止用部材１２が通されることで、ストラップ９・キャンバス地２に対して固定されている。ここで、抜去防止用部材１２としては例えばスプリットリングのような接続リングとして一般に使用される二重リングが使用されているがこれに特に限定されるものではなく、鳩目１０の穴１１を通過した弾性クリップ１３の立ち上がり折り返し部１３ｆが抜け外れないように止められるものであれば、立ち上がり折り返し部１３ｆを貫通するピンなどでも良い。また、本実施形態では、ストラップ９を介して親骨３の先端とキャンバス地２の周縁側の端部とを弾性クリップ１３と係合部材１４とを介して連結するようにしているが、これに特にかぎられるものではなく、キャンバス地２の縁に直接に弾性クリップ１３あるいは係合部材１４を備え、親骨３の先端に備えられた係合部材１４あるいは弾性クリップ１３と連結させるようにしても良い。さらに、鳩目１０は必要に応じて施されるものであって、場合によっては省略される。
【００４２】
尚、本実施形態では、抜去防止用部材１２を介してストラップ９の鳩目１０に弾性クリップ１３を引っ掛けて連結するようにしているが、場合によっては弾性クリップ１３の立ち上がり折り返し部１３ｆそのものが鳩目１０に引っ掛かるような形状とすることにより、ストラップ９の鳩目１０と弾性クリップ１３とを直接連係させるようにしても良い。例えば、弾性クリップ１３の立ち上がり折り返し部１３ｆの鳩目１０よりも上側（キャンバス地２の表側）に突出する部分の最大幅が鳩目１０（穴１１）の最大穴幅よりも幅広に構成されれば、この最大幅部分が抜去防止用部材１２を兼ねることができる。この場合には、抜去防止用部材１２として使用されるリングあるいはピンなどが不要となる。因みに、立ち上がり折り返し部１３ｆが抜去防止用部材を兼ねる構造の弾性クリップ１３の場合には、キャンバス地２の表側から鳩目１０の穴１１に弾性クリップ１３を先端の導入部１３ｂ、弾性挟持部１３ａ、腕部１３ｅと順次挿入して、親骨３の先端の係合部材１４に嵌合させ挟持することで、係合部材１４と弾性クリップ１３とを連結するように使用される。
【００４３】
他方、係合部材１４は、図３に示すように、弾性クリップ１３に挟持される被挟持面１４ｄを有し、キャンバス支持部材８とキャンバス地２のいずれか一方に連結され他方に連結された弾性クリップ１３の相対的な抜去方向が被挟持面１４ｄと交わる方向に設定されるもの、即ち所定の引っ張り力が弾性クリップ１３との間に相対的に作用したときに、弾性クリップ１３が外れるように設定できるものであれば、どのような形状、形態をとっても本発明は実施可能である。本実施形態の場合、係合部材１４は、円筒状のカラー１４ｂと該カラー１４ｂよりも大径の座金１５とこれらを貫通してキャンバス支持部材８にねじ込まれる押えボルト１４ａとで構成されており、キャンバス支持部材８例えば親骨３の先端に嵌合されるキャップ２２に押えボルト１４ａがねじ込まれることで、キャンバス支持部材８と座金１５との間のカラー１４ｂを挟持するように弾性クリップ１３が差し込まれるように構成されている。そして、弾性クリップ１３が係合部材１４の被挟持面１４ｄと交わる方向、即ちカラー１４ｂの主に径方向（軸方向を除いた方向）に抜き差しされるように設けられている。
【００４４】
係合部材１４と弾性クリップ１３との係合は、予めキャンバス支持部材８に固定された係合部材１４に対して弾性クリップ１３を嵌め込むようにしても良いが、キャンバス地２の鳩目１０に固定した弾性クリップ１３の弾性挟持部１３ａの内側の空間（係合部材収容空間）１３ｄにカラー１４ｂを嵌め込んでから、ストラップ９の下段の鳩目２４の穴２３を利用して座金１５と押えボルト１４ａとを通して親骨３あるいはその先端に嵌め込まれるキャップ２２にねじ込むことにより、弾性クリップ１３とカラー１４ｂとを座金１５とボルト頭１４ｃとを一体化した状態でキャンバス支持部材８側に固定することも可能である。押えボルト１４ａの頭部１４ｃ並びに座金１５の直径は弾性クリップ１３の弾性挟持部１３ａの外径よりも大きな径であり、押えボルト１４ａのねじ止めにより、弾性クリップ１３の弾性挟持部１３ａは回転自在でありながらカラー１４ｂの軸方向には離脱しないように設けられている。
【００４５】
尚、本実施形態の係合部材１４は、カラー１４ｂと座金１５と押えボルト１４ａとの分離可能な３部品で構成されているが、これに特に限られず、段付きボルトや、ねじが切られていない円筒部を有するボルトなどを用いる場合には、カラー１４ｂを用いずに、段部や円筒部などに直接弾性クリップ１３を嵌め込んで挟持するようにしても良い。また、ボルトと座金とが予め一体化された座金組み込みボルトや、ボルト頭１４ｃが大きな押さえボルトを用いる場合には、抜け止めのための座金１５は必ずしも使用しなくとも良い。このように、係合部材１４は、押えボルト１４ａの構成によってはカラー１４ｂや抜け止めのための座金１５が不要となるし、場合によっては円柱状の被挟持面を有する単なる棒状物であっても良い。また、本実施形態の係合部材１４は、キャンバス支持部材（親骨３）８に対して脱着可能に取り付けられるように設けられているが、これに特に限られず、予め親骨３やキャップ２２に一体的に形成されるボス（円柱状の被挟持面１４ｄを有する）に座金１５及び押えボルト１４ａをねじ込むようにしたり、場合によってはボスと座金に相当するフランジとをキャップ２２と一体成形したものなどを、係合部材１４として用いても良いことは言うまでもない。
【００４６】
本実施形態におけるパラソル１の開閉は、受骨用ろくろ６を支柱７に沿って昇降させることによって行われる。したがって、パラソル１が大型化して支柱７の高さが高いものとなると、受骨用ろくろ６を直接に手で持って昇降させることは、場合によっては困難となることがある。また、パラソル１を開くためには、親骨３やキャンバス地２の重さを持ち上げる力が必要であり、特にパラソル１が大型の場合は大きな力が必要となる。そこで、本実施形態の場合には、滑車１７とロープ１８とを利用して受骨用ろくろ６を昇降させることにより、使用者の手元の位置でパラソルの開閉を行うようにしている。即ち、親骨用ろくろ４に滑車１７を固定する一方、受骨用ろくろ６に固着されているアイボルト１９にロープ１８の先端を結び付けて固定する一方、ロープ１８の他端側は親骨用ろくろ４の滑車１７並びに受骨用ろくろ６に取り付けられているロープ係止具２０を通して支柱７に固定されている。係止具２０は、詳細に図示していないが、例えば摩擦によってロープ１８の移動を阻止するようなもので、受骨用ろくろ６が下がろうとする方向即ちロープ１８を上方へ移動させようとする動きに対しては食い込んで止めようとする一方向の歯や爪が設けられている。また、パラソルを一挙に閉じる場合には、ロープ１８を手前側に引っ張って係止具２０からロープ１８を外すことにより、ロープ１８の移動を自由にすることにより行われる。
【００４７】
支柱７は、本実施形態の場合、パラソルの中心を貫通するように配置され、下端をパラソル支持土台１６の筒にビス留めなどで固定することによって支持されている。この支柱７は特に材質などに制限はなく、例えばアルミ型抜き材や押し出し材から成るパイプあるいは木製の棒などで構成されることが一般的である。
【００４８】
以上のように構成されたパラソル１によると、キャンバス地２あるいは弾性クリップ１３の立ち上がり折り返し部１３ｆを把持して直接内側に向けて引っ張ることで、キャンバス地の縁を親骨から簡単に取り外すことができる。そして、支柱７の頂部のキャップ２１を取り外してキャンバス地２の中央を支柱７から取り外せば、キャンバス地２をキャンバス支持部材８からはぎ取ることができる。また、新たなキャンバス地２の中央の穴を支柱７の頂部に嵌め込んでから、周縁のストラップ９の鳩目１０に弾性クリップ１３の立ち上がり折り返し部１３ｆを通して抜去防止用部材１２である二重リングを嵌め込んでから親骨３の先端の係合部材１４に弾性クリップ１３の先端を立ち上がり折り返し部１３ｆを掴んで押し込むようにして嵌め込むことで簡単に取り付けることができる。依って、キャンバス地２に破損等が生じた場合であっても、またキャンバス地の模様替えをしたくなった場合でも、簡単に交換することができる。しかも、現場組み立て作業でも簡単に組み付けられるので、組み付け作業に時間がかからない。
【００４９】
また、パラソルを開いた状態で強風を受けたときには、受骨用ろくろ６が支柱７の上方に向かってスライドすることにより、キャンバス地２がばたつくことである程度の風は吸収するが、キャンバス地２にかかる風圧が設定圧力を超える場合には、キャンバス地２が膨らみながらストラップ９を引っ張るので、親骨３との間で連結されている弾性クリップ１３と係合部材１４との間に引っ張り力を加える。そして、その値が設定値を超えたとき、弾性クリップ１３が開いて係合部材１４から離脱する。例えば、本発明者等の計算によると、パラソルには、風速１２ｍ／ｓで概ね１０３Ｎ／ｍ２の吹き上げ荷重がかかる。その程度の吹き上げ荷重がかかると、パラソルの倒れなどが発生する虞があるので、それよりも前にキャンバス地２が親骨３から外れるようにする必要がある。そこで、本実施形態においては、３ｋｇ前後の引っ張り力が弾性クリップ１３と係合部材１４との間に作用したときに、弾性クリップ１３が係合部材１４から外れるように設定されている。これにより、強風が吹いてパラソルが煽られても、キャンバス地２の周縁の一部あるいは全部が親骨３から外れて風を受け流すことから、風を受ける面積が少なくなって吹き上げ荷重が減少し、飛ばされたり倒されたりし難くなる。勿論、どの程度の吹き上げ荷重が作用したときにパラソルの倒れや飛びあるいはキャンバス地の破損などが引き起こされるのかは、パラソルの設計毎にキャンバス地２や親骨３、支柱７及び支持土台１６などの強度が異なるので一概には言えないが、パラソルの倒れや損壊あるいはキャンバス地の破損などが引き起こされないような力でかつ僅かな風で度々弾性クリップ１３が連結解除されない程度の強度に設定されることが好ましい。この際に、円柱状の係合部材１４即ちカラー１４ｂと円弧状に広範囲に接触する半円状の弾性挟持部１３ａとの嵌合により、キャンバス地２と親骨３との連結が行われる。カラー１４ｂと弾性挟持部１３ａとの連結は、半円状の弾性挟持部１３ａの内周面の全域でカラー１４ｂを挟持するため、抜け止め強度の調整がし易く、精度を出し易い。
【００５０】
なお、上述の形態は本発明の好適な形態の一例ではあるがこれに限定されるものではなく本発明の要旨を逸脱しない範囲において種々変形実施可能である。例えば、本実施形態ではパラソルの中心に支柱が存在するタイプのパラソルに適用した例を挙げて主に説明したが、このタイプに限られず、パラソルの外に存在する支柱から張り出すアームに吊り下げられるハンギングタイプのパラソル（例えば、特開2003-61724号公報参照）に適用することは勿論のこと、非開閉構造のキャノピー・パラソル（開いた状態のまま固定されている構造）や、壁付型や自立型を問わず各種オーニング等の屋外使用の日除け構造物に適用できることは言うまでも無い。
【００５１】
また、係合部材１４と弾性クリップ１３との関係は、上述の実施形態に示される関係に限られず、キャンバス地２に外周縁に係合部材１４を配置する一方、キャンバス支持部材８の親骨３の先端側に弾性クリップ１３を備え、キャンバス地２とキャンバス支持部材８の親骨３との連結を図るようにしても良い。
【００５２】
さらに、本実施形態ではキャンバス地２の外周縁側と親骨３の先端との間の１カ所で弾性クリップ１３と係合部材１４とによる連結を図る例を上げて主に説明したが、これに特に限られるものではなく、放射状に広がる親骨３の内径側から外径側にかけて複数箇所に弾性クリップ１３と係合部材１４を配置して、キャンバス地２とキャンバス支持部材８とが径方向に複数箇所で連結されるようにしても良い。この場合、風の強さに応じて段階的にキャンバス地２がキャンバス支持部材８から外れて行く構造とすることができる。
【００５３】
さらに、本実施形態では大型のパラソル型の日除けに適用した例を挙げて主に本発明を説明したが、これに特に限られるものではなく、壁面から張り出されるオーニングや携帯用雨傘・日傘などにも適用することができることは言うまでも無い。
【符号の説明】
【００５４】
１  パラソル
２  キャンバス地
３  親骨
７  支柱
８  キャンバス支持部材
１０  鳩目
１１  鳩目の穴（弾性クリップの立ち上がり折り返し部を通すためのキャンバス地の穴）
１２  抜去防止用部材（リング）
１３  弾性クリップ
１３ａ  弾性挟持部
１３ｂ  導入部
１３ｃ  開口部
１３ｄ  係合部材収容空間
１３ｅ  腕部
１３ｆ  立ち上がり折り返し部
１３ｇ  導入部の先端
１４  係合部材
１４ａ  押えボルト
１４ｂ  カラー
１４ｃ  ボルト頭
１４ｄ  被挟持面
１５  座金
２５  樹脂キャップ
２６  導入部を形成する部分よりも延長され折り返すように曲げられた延長端部
２７  導入部の最も外側に形成された鋭角的な部分を持たない円弧状の折り返し部
２７ｓ  導入部の最大幅位置
２７e   導入部の先端位置
【図１】
2015037520.tif 000003
【図２】
2015037520.tif 000004
【図３】
2015037520.tif 000005
【図４】
2015037520.tif 000006
【図５】
2015037520.tif 000007
【図６】
2015037520.tif 000008
【図７】
2015037520.tif 000009
【図８】
2015037520.tif 000010
【図９】
2015037520.tif 000011
【図１０】
2015037520.tif 000012
【図１１】
2015037520.tif 000013